(57)【要約】【課題】調律器が発音した音に対して、入力された音との差異を表示する調律器の提供。【解決手段】スイッチ１６が発音するモードに設定されると、マイコン１５から基準音２２が発せられてスピーカー１７で発音される。同時にマイコン１５からはマイクＯＮ／ＯＦＦ信号２３がＬｏの状態で送られ、マイク１９をＯＦＦにし、スピーカー１７から発せられた基準音をマイク１９が被調律信号として拾わないようにする。【選択図】　　図３
2004109302.tif 000002
【特許請求の範囲】
【請求項１】
入力された音とあらかじめ設定した基準音との偏差を測定し、その偏差を表示する調律器において、調律する基準音を指定する設定部と、前記設定部によって設定した基準音の発音を行う発音部と、調律する楽器から出力された音を信号として入力する入力部と、前記入力部より入力された信号から音名、オクターブ、セント偏差を抽出し、前記設定部によって設定された基準音と比較し、そのセント偏差を求める比較部と、前記比較部の結果を表示する表示部を有し、基準音を発音しながら入力された音と基準音との偏差を前記表示部に表示することを特徴とする調律器。
【請求項２】
前記調律を行うときは、内蔵マイクからの入力を遮断することを特徴とする請求項１記載の調律器。
【請求項３】
入力された音とあらかじめ設定した基準音との偏差を測定し、その偏差を表示する調律器の調律方法において、調律する基準音を指定するステップと、前記設定部によって設定した基準音の発音を行うステップと、調律する楽器から出力された音を信号として入力するステップと、前記入力部より入力された信号から音名、オクターブ、セント偏差を抽出し、前記設定部によって設定された基準音と比較し、そのセント偏差を求めるステップと、前記比較部の結果を表示するステップを有し、基準音を発音しながら入力された音と基準音との偏差を前記表示部に表示することを特徴とする調律方法。
【発明の詳細な説明】
【０００１】
【発明の属する技術分野】
この発明は楽器を調律するための調律器とその調律方法に関するものである。
【０００２】
【従来の技術】
従来、調律器を用いた調律方法としては、マイクや圧電ピックアップなどを用いて、楽器から出力された音を信号として拾い、得られた信号の波形から判定され、表示された音名やオクターブ、セント偏差を目安に行うものが主であった。また、調律器から調律したい音を発音させ、発音した音を聞きながら楽器を鳴らし、耳で聞きながら発音された音に楽器の音を近づけてゆくという方法もあった（例えば、特許文献１参照。）。
【０００３】
【特許文献１】
特開平６−２５０６４５号公報（第１−４頁、第１図）
【０００４】
【発明が解決しようとする課題】
しかし、調律機能と発音機能が別々に動作するような調律器の場合、今調律しようとしている音がどのような音なのかを確認するためには調律中にマニュアルモードとサウンドモードをいちいち切り替えなければならなかった。また、サウンドモードにおいて基準音を発音しながら調律できる調律器の場合でも、内蔵マイクがＯＮの状態であると、楽器の音だけでなく調律器自身が発している音も拾ってしまい、正確に楽器だけの音を拾って調律を行うことが困難であった。
【０００５】
そこで本発明の目的は、調律器がサウンドモードの場合には、入力ジャックのみから音を入力して調律・表示する、使い勝手の良い調律器を提供することにある。
【０００６】
【課題を解決するための手段】
上記の目的を達成するために、本発明は、サウンドモードでは自動的に音の入力手段を入力ジャックのみに制限し、かつ入力された音と発音している音とのセント偏差を表示させるようにした。また、このとき内蔵マイクから音が入力されないように、自動的にマイク入力をＯＦＦにするようにした。
【０００７】
【発明の実施の形態】
【実施例】
この発明に関わる調律器の一実施例を図に基づいて説明する。
図１は本発明に関わる調律器の実施例の正面図である。
図１において、本体ケース１の正面には、表示部２、電源・モード設定スイッチ３と音高設定スイッチ４からなる設定部、楽音を直接拾うための内蔵マイク６、選択した基準音を発音するためのスピーカー７からなる発音部が配置する。また、本体側面には楽音を入力するための入力ジャック５を具備している。この入力ジャック５は、例えば出力用ジャックのある楽器とプラグで接続したり、ピックアップマイクを接続したりして、楽器から出力された音を入力するものであり、内蔵マイク６とともに入力部を構成する。
【０００８】
この調律器を使用するには、まず調律器の電源・モード設定スイッチ３を操作し、調律器を電源オンの状態にする。ユーザーは電源・モード設定スイッチ３の位置を選ぶことによって、調律するモードをマニュアルまたはサウンドから選択し、さらにどの音に関してチューニングを行うかを音高設定スイッチ４で選択する。選択した音高は表示部２の音高表示部２ｂに表示される。この音高表示部２ｂは、例えばＬＣＤやＬＥＤなどで構成される。また、サウンドモードの時は同時に選択した音高の音がスピーカー７から発音される。そして入力ジャック５または内蔵マイク６から音が入力されると、選択した音と入力された音とのセント偏差がセント偏差表示部２ａで、例えばメータ式に表される。
【０００９】
図２は本発明を用いて調律を行う時のブロック図である。又、図３は本発明の機能を実現するための回路構成図である。以下、これらの図を基に本発明の一実施例を説明する。
【００１０】
図２において、調律するための各設定は設定部１０で行う。設定部１０は、電源のＯＮ／ＯＦＦおよび調律モードの設定を行うモード設定部（図１における電源・モード設定スイッチ３に相当する）と、調律する音高を選ぶ音高設定部（図１における音高設定スイッチ４に相当する）によって構成されている。記憶部１３は、ＲＯＭ又はＲＡＭ等からなり、設定部１０で設定された調律モード情報や音高情報を格納する。制御部１４は、記憶部１３に格納されたモード情報に基づいて、入力部９の状態を制御する。また、この制御部１４は、設定した音高情報を表示部１５に表示させる表示制御も行う。更に、記憶部１３のデータを元にして、発音部１６に基準音の信号を送る発音制御を行う。
【００１１】
まず、調律の流れを簡単に説明する。調律する楽器から出力された音が被調律信号８としてマイク又は入力ジャックで構成されている入力部９から入力されると、抽出部１１内の増幅回路によってパルス信号に変換され、英音名、オクターブ、セント偏差が抽出される。次に比較部１２で、抽出された情報を設定部１０で設定した音高の情報と比較する。こうして比較した結果、求められたセント偏差を表示部１５に送って表示させる。抽出部１１、比較部１２、記憶部１３、及び制御部１４は、マイコン部１８を構成する。
【００１２】
次に、マニュアルモードで調律する場合の動作を具体的に説明する。設定部１０のモード設定部でモードをマニュアルに設定すると、制御部１４は入力部９内のマイクをＯＮにセットする。設定部１０の音高設定部で調律したい音を設定すると、制御部１４は、設定した音高を表示部１５に表示させる。そして比較部１２で入力された被調律信号８とのセント偏差を求め、結果を表示部１５に表示する。また制御部１４は発音部１６の発音をストップさせる。
【００１３】
上記動作の本発明に関する部分を図３で説明する。
スイッチ２０からマニュアルモードに設定したとする信号がマイコン２８に送られると、マイクＯＮ／ＯＦＦ切替信号２３がＨｉの状態でマイコン２８から送られ、マイク１９ａをＯＮにセットする。よって音の入力にはマイク１９ａと入力ジャック１９ｂの両方を用いることができる。通常はマイク１９ａからの入力が入力ジャック１９ｂの導通部分を経てオペアンプ周辺回路３１に入力されるようになっているが、入力ジャック１９ｂにプラグが挿入されるとマイク１９ａから入力ジャック１９ｂへの入力は切断され、代わって入力ジャック１９ｂからの信号がオペアンプ周辺回路３１に取り込まれるようになる。
【００１４】
こうしてマイク１９ａまたは入力ジャック１９ｂからオペアンプ周辺回路３１に送られ、成形・増幅された被調律信号３３がマイコン２８に入力される。また、基準音３５はマニュアルモードではマイコン２８から送られないので、パワーアンプ周辺回路３２およびスピーカー２６は機能しない。
【００１５】
今度は、サウンドモードで調律する場合の動作を説明する。図２において、設定部１０のモード設定部でモードをサウンドに設定すると、制御部１４は入力部９のマイクをＯＦＦにセットする。設定部１０の音高設定部で調律したい音を設定すると、制御部１４は、設定した音高を表示部１３に表示するとともに、この音高の基準音を発音部１６に発音させる。そしてマニュアルモードと同様に被調律信号８とのセント偏差を表示部１３に表示する。
【００１６】
図３の回路図でさらに説明する。スイッチ２０からサウンドモードに設定したとする信号がマイコン２８に送られると、基準音３５の信号がマイコン２８から出され、パワーアンプ周辺回路３２で増幅された後スピーカー２６で基準音が発音される。また、マイクＯＮ／ＯＦＦ切替信号３４がＬｏの状態で出され、マイク１９ａをＯＦＦにセットする。よって音の入力には入力ジャック１９ｂのみ使用でき、プラグが入力ジャック１９ｂに挿入されていなければ、オペアンプ周辺回路３１に信号は入力されない。
【００１７】
これによって、スピーカー２６から発音された基準音３５をマイク１９ａが拾うことはなく、入力ジャック１９ｂから入力された信号だけをマイコン２８に送ることが可能となる。また、従来の調律器では、発音中は被調律信号をマイコンが取り込むことはしないが、本発明の調律器では発音中も信号の入力に反応して処理を行うので、発音しながら調律を行うことができる。
【００１８】
【発明の効果】
以上説明したように本発明は、サウンドモードにおいて、基準音発音時にはマイクからの入力を遮断し、さらに発音と同時に入力ジャックからの信号を調律し、表示することによって、基準音の音を耳で確認しながら楽器などの音を入力し、調律することのできる調律器の実現を可能にした。
【図面の簡単な説明】
【図１】本発明の一実施例である調律器の正面図である。
【図２】本発明の一実施例である調律器の、調律を行う時のブロック図である。
【図３】本発明の一実施例である調律器の本発明に関わる回路の構成図である。
【符号の説明】
１　　本体ケース
２　　表示部
２ａ　　セント偏差表示部
２ｂ　　音高表示部
３　　電源・モード設定スイッチ
４　　音高設定スイッチ
５　　入力ジャック
６　　内蔵マイク
７　　スピーカー
８　　被調律信号
９　　入力部
１０　　設定部
１１　　抽出部
１２　　比較部
１３　　記憶部
１４　　制御部
１５　　表示部
１６　　発音部
１８　　マイコン部
１９ａ　マイク
１９ｂ　入力ジャック
２０　　スイッチ
２５　　表示部
２６　　スピーカー
３１　　オペアンプ周辺回路
３２　　パワーアンプ周辺回路
３３　　被調律信号
３４　　マイクＯＮ／ＯＦＦ切替信号
３５　　基準音
【図１】
2004109302.tif 000003
【図２】
2004109302.tif 000004
【図３】
2004109302.tif 000005